(57)【要約】【課題】綴じるべき書類などの量に応じて背幅を多段階に調整でき、且つ背幅を任意の位置で保持することができる背幅調整ファイルの提供を課題とする。【解決手段】背幅調整ファイル１は、互いに平行な表表紙１１及び裏表紙１２と、表表紙１１及び裏表紙１２の一側端に設けられた背表紙１３と、背表紙１３の背幅Ｗを多段階に調整する背幅調整手段１４と、背幅Ｗを任意の位置で保持するロック手段１６と、を備える。背幅調整ファイル１の取り扱い時に、背幅Ｗが不用意に変わることがないので、取り扱い性が向上する。【選択図】図１
2008201027.tif 000002
【特許請求の範囲】
【請求項１】
互いに平行な表表紙及び裏表紙と、
前記表表紙及び前記裏表紙の一側端に設けられた背表紙と、
前記背表紙の背幅を多段階に調整する背幅調整手段と、
前記背幅を任意の位置で保持するロック手段と、
を備えることを特徴とする背幅調整ファイル。
【請求項２】
前記背幅調整手段は、前記表表紙側に設けられ背幅調整時に前記表表紙が移動する方向に延びる第１のラックと、前記裏表紙側に設けられ背幅調整時に前記裏表紙が移動する方向に延びると共に、前記第１のラックと所定の間隔を開けて配置され且つ前記第１のラックと対向する第２のラックと、前記所定の間隔内に配置され前記第１のラック及び前記第２のラックに歯合された歯車とを有することを特徴とする請求項１に記載の背幅調整ファイル。
【請求項３】
前記背幅調整手段は、前記背表紙の上側及び下側にそれぞれ設けられていることを特徴とする請求項１または２に記載の背幅調整ファイル。
【請求項４】
前記上下の背幅調整手段を同期させる同期手段を有することを特徴とする請求項３に記載の背幅調整ファイル。
【請求項５】
前記同期手段は、前記背幅調整手段における前記歯車の回転を同期させることを特徴とする請求項４に記載の背幅調整ファイル。
【請求項６】
前記同期手段は、前記上下の背幅調整手段における前記歯車に歯合される第３のラックを有することを特徴とする請求項３から５の何れかに記載の背幅調整ファイル。
【請求項７】
前記ロック手段は、前記背幅調整手段における前記歯車の回転をロックすることを特徴とする請求項２から６の何れかに記載の背幅調整ファイル。
【請求項８】
前記ロック手段は、先端に前記背幅調整手段の前記歯車に歯合される歯合部が設けられ、前記歯合部を前記歯車に歯合させ又は歯合解除する方向にスライド自在であることを特徴とする請求項２から７の何れかに記載の背幅調整ファイル。
【請求項９】
前記背表紙の外側に設けられたベースと、前記背表紙の内側に設けられ前記ベースに固定されたカバーとを有し、前記ベース及び前記カバーと、前記背表紙とが背幅調整方向に相対的にスライド自在に配置され、前記ベースと前記カバーとの間に前記背幅調整手段が配置されていることを特徴とする請求項１から８の何れかに記載の背幅調整ファイル。
【発明の詳細な説明】
【技術分野】
【０００１】
本発明は、背幅を多段階に調整自在な背幅調整ファイルに関する。
【背景技術】
【０００２】
従来、背幅を調整自在なファイルが提案されている（例えば、特許文献１〜４参照。）。例えば、図１２〜図１４に示すように、特許文献１の紙綴具は、表裏表紙１０１，１０９の各々一側縁を折り曲げた袖部１０２，１１０に、一方には係止板１０５を、他方には回動板１１４をそれぞれ座板部１０４，１１１において固着し、回動板１１４に植立する管状綴棒１１５に嵌挿する綴針１１６を有する蓋板１１７と、係止板１０５の側板部１０３とを係脱させる綴込機構を備えると共に、該表紙袖部１０２，１１０の各端縁間に介在する中核部１２０を有する背板１２１に、その中核部１２０に固着された摺動中心部１２２を中心とし、前記係止板１０５及び回動板１１４の各座板部１０４，１１１に設けた摺動起点１０８，１１３を、一方の座板部１０４の摺動方向と、反対方向に摺動しかつその摺動距離を同じくするよう他方の座板部１１１に連結する摺動機構および、前記両方の座板１０４，１１１を互いに引き寄せる傾向を付与したバネ体１１９を、前記中核部１２０に固着しかつ前記摺動機構及び引き寄せバネ体１１９を蓋覆する覆板１２５内に備えている。
【特許文献１】特公昭４７−１８２９５号公報
【特許文献２】特公昭４７−３７０５４号公報
【特許文献３】特開２００５−１３２０６５号公報
【特許文献４】特許第３４３０１２９号公報
【発明の開示】
【発明が解決しようとする課題】
【０００３】
しかしながら、従来の特許文献１の紙綴具は、背幅を調整した際に、背幅をバネ体１１９で保持しているので、背幅が不用意に変わってしまうおそれがあった。
【０００４】
本発明は、このような問題に鑑みなされたもので、綴じるべき書類などの量に応じて背幅を多段階に調整でき、且つ背幅を任意の位置で保持することができるファイルの提供を課題とする。
【課題を解決するための手段】
【０００５】
本発明は、前記課題を解決するため、以下の手段を採用した。
すなわち、本発明は、
互いに平行な表表紙及び裏表紙と、
前記表表紙及び前記裏表紙の一側端に設けられた背表紙と、
前記背表紙の背幅を多段階に調整する背幅調整手段と、
前記背幅を任意の位置で固定するロック手段と、
を備えることを特徴とする背幅調整ファイル。
【０００６】
本発明では、ファイル本体に綴じるべき書類などの量に応じて、背幅を多段階に調整できると共に、背幅を任意の位置で保持（固定）できるので、背幅を無駄に広くする必要がない。従って、背幅調整ファイルの保管スペースを最小限にできる。また、背幅調整ファイルを取り扱う際に、背幅が不用意に変わるのを防止できるので、取り扱い性が向上する。
【０００７】
ここで、前記背幅調整手段は、前記表表紙側に設けられ背幅調整時に前記表表紙が移動
する方向に延びる第１のラックと、前記裏表紙側に設けられ背幅調整時に前記裏表紙が移動する方向に延びると共に、前記第１のラックと所定の間隔を開けて配置され且つ前記第１のラックと対向する第２のラックと、前記所定の間隔内に配置され前記第１のラック及び前記第２のラックに歯合された歯車とを有する構成にできる。
【０００８】
また、前記背幅調整手段は、前記背表紙の上側及び下側に設けることができる。この場合は、上下の背幅を同時に調整できる。
【０００９】
また、前記上下の背幅調整手段の背幅調整量を同期させる同期手段を有する構成にできる。この場合は、上下の背幅が不揃いになるのを抑制できる。
【００１０】
また、前記同期手段は、前記背幅調整手段における前記歯車の回転を同期させる構成にできる。この場合は、同期手段の構成を簡略化できる。
【００１１】
また、前記同期手段は、前記第１の歯車及び前記第２の歯車に歯合された第３のラックを有する構成にできる。この場合は、同期手段の構成を更に簡略化できる。
【００１２】
また、前記ロック手段は、前記背幅調整手段における前記歯車の回転をロックする構成にできる。
【００１３】
また、前記ロック手段は、先端に前記背幅調整手段の前記歯車に歯合される歯合部が設けられ、前記歯合部を前記歯車に歯合し又は歯合解除する方向にスライド自在である構成にできる。
【００１４】
また、前記背表紙の外側に設けられたベースと、前記背表紙の内側に設けられ前記ベースに固定されたカバーとを有し、前記ベース及び前記カバーと、前記背表紙とが背幅調整方向に相対的にスライド自在に配置され、前記ベースと前記カバーとの間に前記背幅調整手段が配置されている構成にできる。
【発明の効果】
【００１５】
本発明によれば、背幅調整ファイルに綴じるべき書類などの量に応じて、背幅を多段階に調整できるので、背幅を無駄に広くする必要がない。従って、ファイルの保管スペースを最小限にできる。
【００１６】
また、背幅を任意の位置で保持（固定）できるので、背幅調整ファイルの取り扱い時などに、背幅が不用意に変わるのを防止でき、取り扱い性が向上する。
【発明を実施するための最良の形態】
【００１７】
以下、本発明の実施の形態を添付した図１から図１１に基づいて詳細に説明する。なお、以下の実施形態は例示であり、本発明は実施形態の構成に限定されない。
【００１８】
《第１の実施の形態》
図１は、本発明に係る第１実施形態の背幅調整ファイル１を示す。この背幅調整ファイル１は、背幅Ｗを多段階に調整でき、且つ背幅Ｗを任意の位置で保持（固定）できるように構成されている。
【００１９】
すなわち、この背幅調整ファイル１は、表表紙１１及び裏表紙１２と、これらの表表紙１１及び裏表紙１２の一側端に設けられた背表紙１３と、この背表紙１３の背幅Ｗを多段階に調整する背幅調整手段１４と、背幅Ｗを任意の位置で保持（固定）するロック手段１６と、上下の背幅調整手段１４を同期させる同期手段１７とを備えている。
【００２０】
次に、上記各構成要素について説明する。表表紙１１及び裏表紙１２は、例えば樹脂製の板部材などによって、背幅調整ファイル１に綴じるべき書類などの形状及び大きさに応じて形成されている。本実施形態では、表表紙１１及び裏表紙１２が、縦長の長方形に形成されている。
【００２１】
表表紙１１及び裏表紙１２の内面（書類などを綴じる側の面）における背表紙１３側の端部には、図２に示すように、書類などを綴じる綴じ具１８が設けられている。
【００２２】
この綴じ具１８は、表表紙１１側に設けられた一対のロッド２０，２０と、裏表紙１２側に設けられ一対のロッド２０，２０がスライド自在に挿入される一対のパイプ２１，２１とを有している。
【００２３】
なお、本実施形態では、ロッド２０とパイプ２１を有する綴じ具１８を用いた場合について説明するが、これ以外の各種の綴じ具を用いることができる。
【００２４】
図１に示すように、背表紙１３は、表表紙１１の側端部に回動自在に設けられた第１背表紙１３ａと、裏表紙１２の側端部に回動自在設けられた第２背表紙１３ｂとを有している。第１背表紙１３ａと第２背表紙１３ｂとは、互いに分離されている。
【００２５】
これらの第１背表紙１３ａと第２背表紙１３ｂとの間隔を変えることにより、背表紙１３の背幅Ｗを調整することができる。
【００２６】
図２及び図３に示すように、背表紙１３の外側には、背表紙１３と同一長さを有するベース４０が配置されている。このベース４０は、背表紙１３に対して背幅調整時に表裏表紙１１，１２が移動するＸ方向（図１参照）にスライド自在に配置されている。ベース４０は、図４に示すように、背表紙１３と略同一の長さを有している。
【００２７】
このベース４０によって、背表紙１３の第１背表紙１３ａと第２背表紙１３ｂ間の隙間が覆われるため、隙間が外部から見えることはない。
【００２８】
背表紙１３の内側には、図５に示すように、カバー４２が設けられている。このカバー４２は、上下の背幅調整手段１４を覆う上下の幅広部４２ａ，４２ａと、これらの幅広部４２ａ，４２ａの間に設けられ、綴じ具１８を避ける幅が狭く形成された幅狭部４２ｂとを有している。
【００２９】
カバー４２は、ベース４０の突起４３にビス４５で取り付けられている。このカバー４２によって、背幅調整手段１４の歯車２７、及び同期手段１７が脱落するのを防止できる。
【００３０】
なお、上記のように、ベース４０及びカバー４２は互いに固定されているが、第１及び第２背表紙１３ａ，１３ｂに対しては、背幅調整時に第１及び第２背表紙１３ａ、１３ｂが移動するＸ方向に相対的にスライド自在である。
【００３１】
図１に示すように、背幅調整手段１４は、背表紙１３の上側及び下側に配置されている。この背幅調整手段１４は、図６に示すように、一方の第１背表紙１３ａに設けられた第１ラック２５、他方の第２背表紙１３ｂに設けられた第２ラック２６、及び第１ラック２５と第２ラック２６の両方に歯合された歯車２７を有している。
【００３２】
第１ラック２５及び第２ラック２６は、背幅調整時に表表紙１１又は裏表紙１２が移動
するＸ方向に延びている。また、第１ラック２５と第２ラック２６は、所定の間隔を開けて且つ互いに対向して上下に配置されている。歯車２７は、第１ラック２５と第２ラック２６間の所定の間隔内に配置されている。
【００３３】
背幅調整手段１４の第１ラック２５及び第２ラック２６の近傍には、背幅Ｗ方向に延びるスライド溝５１，５２が設けられている。これらのスライド溝５１，５２には、ぞれぞれベース４０の突起４３，４３がスライド自在に挿入されている。また、突起４３，４３上には、図３に示すように、カバー４２がビス４５で固定されている。
【００３４】
すなわち、ベース４０及びカバー４２は、背表紙１３ａ，１３ｂを挟んだ状態で、背表紙１３ａ，１３ｂに対して相対的にスライド自在に配置されている。
【００３５】
ベース４０及びカバー４２を固定した状態で、第１及び第２背表紙１３ａ，１３ｂは、背幅Ｂ方向（Ｘ方向）にのみ移動自在であり、それ以外の方向には殆ど移動不可能である。
【００３６】
背幅調整手段１４の歯車２７、及び同期手段１７（図１参照）は、図３に示すように、背表紙１３の外側に配置されたベース４０に設けられている。
【００３７】
すなわち、ベース４０の内面側には、背幅調整手段１４の歯車２７及び同期手段１７を挿入する凹部４１が設けられている。凹部４１の底面には、回転軸４４が設けられている。この回転軸４４に、歯車２７が取り付けられている。
【００３８】
また、同期手段１７は、図７に示すように、歯車２７の側方、本実施形態では、表表紙１１側に配置されている（図１参照）。この同期手段１７は、背表紙１３の長手方向に延びる帯状に形成されている。
【００３９】
同期手段１７の上下両端部には、上下の背幅調整手段１４の歯車２７と歯合する所定長さの第３ラック３６，３６が設けられている。
【００４０】
同期手段１７は、ベース４０の凹部４１内に挿入されている。これにより、同期手段１７は、第１及び第２背表紙１３ａ，１３ｂの移動方向Ｘに対して直交するＹ方向にのみスライドする。
【００４１】
上下の背幅調整手段１４，１４の歯車２７，２７に、同期手段１７の第３ラック３６，３６が歯合されることにより、上下の歯車２７，２７の回転が同期される。
【００４２】
背幅調整手段１４の歯車２７は、図８に示すように、中央に鍔部２７ａが設けられ、その両側に歯２７ｂ，２７ｃが設けられている。
【００４３】
そして、歯車２７の一方の歯２７ｂに、背幅調整手段１４の第１及び第２ラック２５，２６が歯合されている。また、他方の歯２７ｃに、同期手段１７の第３ラック３６が歯合されている。
【００４４】
ロック手段１６は、図４に示すように、背表紙１３の下端部における略中央に設けられている。このロック手段１６は、背表紙１３の上端部に設けることもできる。
【００４５】
ロック手段１６は、図９に示すように、断面コ字状の操作部３０と、この操作部３０の内面から背幅調整手段１４の歯車２７側に延びるスライド部３１と、スライド部３１の先端に設けられ歯車２７に歯合される歯合部３２とを有している。
【００４６】
ロック手段１６の操作部３０は、互いに所定の間隔を開けて配置された平板部４６，４７と連結部４８とによって断面略コ字状に形成されている。操作部３０の平板部４６，４７によって、ベース４０及びカバー４２を両側から挟むことにより、ロック手段１６が所定の力で保持される。
【００４７】
また、操作部３０の一方の平板部４６は、図１０に示すように、ベース４０の表面に設けられた凹部５３内に挿入されている。更に、操作部３０のスライド部３１は、ベース４０の下端部に設けられたガイド溝４９内にスライド自在に挿入されている。これにより、ロック手段１６のスライド方向が規制されている。
【００４８】
ロック手段１６における操作部３０の表面には、滑り止めのローレット５０が設けられている。
【００４９】
このロック手段１６の操作部３０を背表紙１３のＹ方向（図１参照）に操作して、ロック手段１６を背幅調整手段１４の歯車２７に接近する方向又は離間する方向に移動させ、歯合部３２を背幅調整手段１４の歯車２７に歯合させ又は歯合を解除することにより、歯車２７の回転をロックし又はロックを解除することができる。これにより、背幅調整手段１４の背幅調整機能をロックし又はロック解除できる。
【００５０】
次に、この背幅調整ファイル１の作用を説明する。図１に示すように、背幅調整ファイル１の背幅Ｗを調整するときには、ロック手段１６を下方向にスライドさせる。
【００５１】
これにより、ロック手段１６の歯合部３２が、背幅調整手段１４の歯車２７から離間する方向に移動し、背幅調整手段１４のロックが解除されて、背幅Ｗを多段階に調整できる状態になる。
【００５２】
次に、表表紙１１と裏表紙１２とを互いに接近し又は離間する方向（Ｘ方向）に移動させる。そうすると、第１背表紙１３ａの第１ラック２５と、第２背表紙１３ｂの第２ラック２６とが、互いに反対方向に移動して、背幅調整手段１４の歯車２７が回転する。
【００５３】
このときには、同期手段１７によって、上下の背幅調整手段１４，１４における歯車２７，２７の回転が同期され、背表紙１３の上側の背幅Ｗと下側の背幅Ｗとが一致した状態で多段階に調整される。従って、上下の背幅Ｗが不揃いになるのを防止できる。
【００５４】
そして、背幅Ｗが所定の寸法（任意の背幅Ｗ）になったときに、ロック手段１６の操作部３０をベース４０側に移動させて、歯合部３２を歯車２７に歯合させる。
【００５５】
これにより、歯車２７すなわち背幅調整手段１４の背幅調整機能がロックされ、表表紙１１及び裏表紙１２の相対的な移動が不可能になり、背幅Ｗが任意の位置で保持（固定）される。従って、背幅調整ファイル１を取り扱う時に、背幅Ｗが不用意に変わるのを防止できるので、取り扱い性が向上する。
【００５６】
《第２の実施の形態》
図１１は、本発明に係る第２実施形態の背幅調整ファイル６０を示す。なお、第１実施形態の背幅調整ファイル１と同様な部分には、同一の符号を付けて詳細な説明を省略する。
【００５７】
この背幅調整ファイル６０は、背幅調整手段１４が、背表紙１３の略中央にのみ設けられている。すなわち、背表紙１３の外側に配置されたベース４０の略中央に、背幅調整手
段１４の歯車２７が設けられている。
【００５８】
この歯車２７には、第１背表紙１３ａに設けられた第１のラック２５と、第２背表紙１３ｂに設けられた第２ラック２６とが、歯車２７を上下から挟むように歯合されている。
【００５９】
第１背表紙１３ａ及び第２背表紙１３ｂの上下端部には、スライド溝５１，５２が設けられている（上側のみ図示）。これらのスライド溝５１，５２には、ベース４０の突起４３がスライド自在に挿入されている。
【００６０】
ロック手段１６は、背表紙１３の下端部にスライド自在に設けられている。歯車２７がベース４０の中央に設けられているので、第１実施形態に比べてロック手段１６のスライド部３１の長さが比較的長くなる。
【００６１】
この背幅調整ファイル６０は、第１実施形態の背幅調整ファイル１と同様に、背幅Ｗを多段階に調整できると共に、背幅Ｗを任意の位置で保持（固定）できる。従って、取り扱い性が向上する。また、背幅調整手段１４を一つだけ設ければよいので、コストダウンが可能になる。
【図面の簡単な説明】
【００６２】
【図１】本発明に係る第１実施形態の背幅調整ファイルを示す斜視図である。
【図２】本発明に係る第１実施形態の背幅調整ファイルの分解斜視図であり、内側から見た斜視図である。
【図３】本発明に係る第１実施形態の背幅調整ファイルにおけるベース及びカバーを示す図であり、図１のＡ−Ａ断面図である。
【図４】本発明に係る第１実施形態の背幅調整ファイルにおけるベース及びロック手段を示す図であり、図３のＢ矢視図である。
【図５】本発明に係る第１実施形態の背幅調整ファイルにおけるカバー及び綴じ具を示す図であり、図３のＣ矢視図である。
【図６】本発明に係る第１実施形態の背幅調整ファイルにおける背幅調整手段及びスライド溝を示す図であり、図３のＤ−Ｄ断面図である。
【図７】本発明に係る第１実施形態の背幅調整ファイルにおける同期手段を示す図である。
【図８】本発明に係る第１実施形態の背幅調整ファイルにおける背幅調整手段の歯車と、第１及び第２ラック、同期手段との位置関係を示す図であり、図７のＥ矢視図である。
【図９】本発明に係る第１実施形態の背幅調整ファイルにおけるロック手段を示す図であり、図４のＦ−Ｆ断面図である。
【図１０】本発明に係る第１実施形態の背幅調整ファイルにおけるロック手段の操作部を示す図であり、図９のＧ矢視図である。
【図１１】本発明に係る第２実施形態の背幅調整ファイルにおける背幅調整手段及びスライド溝を示す図である。
【図１２】従来例に係る背幅を調整自在なファイルを示す図である。
【図１３】従来例に係る背幅を調整自在なファイルを示す断面図である。
【図１４】従来例に係る背幅を調整自在なファイルを示す図であり、図１３のＨ矢視図である。
【符号の説明】
【００６３】
１  背幅調整ファイル
１１  表表紙
１２  裏表紙
１３  背表紙
１３ａ  第１背表紙
１３ｂ  第２背表紙
１４  背幅調整手段
１６  ロック手段
１７  同期手段
１８  綴じ具
２０  ロッド
２１  パイプ
２２，２３  板部材
２５  第１ラック
２６  第２ラック
２７  背幅調整手段の歯車
２７ａ  歯車の鍔部
２７ｂ，２７ｃ  歯車の歯
３０  ロック手段の操作部
３１  ロック手段のスライド部
３２  歯合部
３６  同期手段の第３ラック
４０  ベース
４１  ベースの凹部
４２  カバー
４２ａ  カバーの幅広部
４２ｂ  カバーの幅狭部
４３  ベースの突起
４４  回転軸
４５  ビス
４６，４７  ロック手段の平板部
４８  ロック手段の連結部
４９  ベースのガイド溝
５０  ローレット
５１  第１背表紙側のスライド溝
５２  第２背表紙側のスライド溝
６０  背幅調整ファイル
１０１  表表紙部
１０２  裏表紙部
１０３  表表紙側背幅調整部
１０４  裏表紙側背幅調整部
１０５  綴じ具
１０７  ロック手段
１０８  操作手段
１１０  表表紙部
Ｗ  背幅
【図１】
2008201027.tif 000003
【図２】
2008201027.tif 000004
【図３】
2008201027.tif 000005
【図４】
2008201027.tif 000006
【図５】
2008201027.tif 000007
【図６】
2008201027.tif 000008
【図７】
2008201027.tif 000009
【図８】
2008201027.tif 000010
【図９】
2008201027.tif 000011
【図１０】
2008201027.tif 000012
【図１１】
2008201027.tif 000013
【図１２】
2008201027.tif 000014
【図１３】
2008201027.tif 000015
【図１４】
2008201027.tif 000016